(57)【要約】【課題】  水に花木をつけるものでなく、土壌や腐葉土等の育成材を用いて水分を補給することで、自然の植物と同じ状態を保てる新規の墓前用花立てを提供する。【解決手段】  墓前用花立ては、育成材７を収容する筒体１と、水を入れる貯水用器２及び毛細管現象を奏する給水紐体３より成る。筒体１の周壁には多数の透孔４が形成してあり、筒体１の下部は土中への埋設部分とし、地上への露出部分に貯水用器２を一体に並設し、筒体１内と貯水用器２内に給水紐体３の一方の端部側を挿入して架け渡した。【選択図】  図1
0003133500.tif 000002
【実用新案登録請求の範囲】
【請求項１】
育成材を収容する筒体と、水を入れる貯水用器及び毛細管現象を奏する給水紐体より成り、筒体の周壁には多数の透孔が形成してあり、筒体の下部は土中への埋設部分とし、地上への露出部分に貯水用器を一体に並設し、筒体内と貯水用器内に給水紐体の一方の端部側を挿入して架け渡したことを特徴とする墓前用花立て。
【請求項２】
筒体は無底である請求項１記載の墓前用花立て。
【請求項３】
筒体の外周に、地上への露出部分に形成した透孔へ水を誘導する突条を設けた請求項１又は２記載の墓前用花立て。
【請求項４】
透孔を筒体の土中への埋設部分に形成した請求項１又は２記載の墓前用花立て。
【請求項５】
給水紐体の素材が天然繊維である請求項１乃至４記載のいずれか1項記載の墓前用花立て。
【考案の詳細な説明】
【技術分野】
【０００１】
本考案は地中に刺して立てる墓前用の花立てに関するものである。
【背景技術】
【０００２】
墓参には花のお供えが欠かせないものであり、墓標自体に花を供えられるような構成としてあるのが殆どである。
しかし、斯かる花を供える部分は充分な水の補給ができずに、枯れてしまうことに起因する問題が生じているのである。
【０００３】
そこで、水の補給やゴミの除去を可能にした花器を墓前の地中に挿し込んで供えることが提案されている。
例えば、実開平０６−８６３７は、花差し容器部と取付部を備えた花立て本体と、花立て本体の取付部が着脱自在な花立て受部を上端に設けると共に下端を先鋭部とした杭戸から成るものが開示されている。
また、実開平０７−２９２２９では、有底筒体の底部の上面を傾斜させて設け、傾斜底部の最下部に排水孔を設け、この排水孔に排水調整具を設け、筒体を垂直に支持する突刺体を設けた構成が開示されている。
【考案の開示】
【考案が解決しようとする課題】
【０００４】
上記のように、従来は墓前の花立てにおいては、花の水分吸収部分を水中に浸すことを前提とした構成であり、花立ての本体中に水が無くならないような構成を工夫しているのである。
【０００５】
そこで、本考案は、水に花木をつけるものでなく、土壌や腐葉土等の育成材を用いて水分を補給することで、自然の植物と同じ状態を保てる新規の墓前用花立てを提供せんとするものである。
【課題を解決するための手段】
【０００６】
本考案の墓前用花立ては、育成材を収容する筒体と、水を入れる貯水用器及び毛細管現象を奏する給水紐体より成り、筒体の周壁には多数の透孔が形成してあり、筒体の下部は土中への埋設部分とし、地上への露出部分に貯水用器を一体に並設し、筒体内と貯水用器内に給水紐体の一方の端部側を挿入して架け渡したことを特徴とするものである。
【０００７】
また、筒体は無底であってもよく、筒体の外周に地上への露出部分に形成した透孔へ水を誘導する突条を設けたものとしてもよく、更に、透孔を筒体の土中への埋設部分に形成したものとしてもよい。
そして、給水紐体の素材が天然繊維を用いることもできる。
【考案の効果】
【０００８】
本考案の墓前用花立ては、育成材を収容する筒体の周壁には多数の透孔が形成してあり、筒体の下部は土中への埋設部分としているため、筒体の花は地生の植物のように土壌等の育成材から吸収するものとなり、育成材への水分補給は地中に埋設している部分の透孔から地中の水分を吸収でき、立設した墓前（周囲）の地面と同等の条件を得られる効果を有し、特別に筒体への水分補給も殆ど必要ないものとなる効果を有するものである。
【０００９】
そして、地上の露出部分に形成した透孔からは、降雨時に筒を流れる水を筒内に取り入れることが出来る効果があり、筒体を傾斜して地中に突き刺せば取り入れが容易となる。
【００１０】
また、筒体と一体に並設した貯水容器に水をいれ、筒体内と貯水用器内に給水紐体の一方の端部側を挿入して掛け渡しておけば、毛細管現象を奏する給水紐体により貯水容器内の水を筒体内の土壌等の育成材へ供給できる効果があり、育成材が乾燥の程度に応じて必要な分の水分を補給できる効果発揮されるのである。
【００１１】
筒体を無底とすることで、突き刺した地中との一体化がより図られ、外観上は花立てであっても地生の花と同等の環境条件で生育する効果を得られ、筒体内に必要以上の水が入り込んでも無底部から速やかに排出できる効果もある。
【００１２】
筒体の外周に地上への露出部分に形成した透孔へ水を誘導する突条を設けることで、筒体表面を流れる水を透孔へ導いて透孔から効率的に取り込むことができる効果がある。
そして、水の補給は地中や貯水容器から得られ、育成材の保水力も保たれ、透孔を筒体の土中への埋設部分に形成したものとしても、花の生育を長期間維持できるものである。
【００１３】
そして、給水紐体の素材を天然繊維とすることで、毛細管現象の作用を顕著に奏して貯水容器か筒体への水の補給を有効に行えるものである。
【考案を実施するための最良の形態】
【００１４】
次に本考案の実施の形態を図面に基づいて説明する。
図１は本考案の一実施の形態を示す断面図であり、本考案の墓前用花立ては、筒体１と貯水用器２及び給水紐体３で構成されている。
【００１５】
筒体１及び貯水用器２は何れも円筒体で形成され、筒体１は無底で、貯水用器２は底を有する。
貯水用器２は筒体１の略３分の１程の長さで、上部が筒体１の上端縁より上へ飛び出して当接部を貼着して一体に構成されている。
また、筒体１は前記貯水用器２との貼着面を除く、周囲の壁面に多数の透孔４、４、４、・・・が穿設してある。
【００１６】
給水紐体３は、毛細管現象を奏する紐状体で、筒体１内と貯水用器２内に給水紐体３の一方の端部側を挿入して架け渡したものであり、貯水用器２の筒体１側の上端縁に切り欠き５を形成し、この切り欠き５にて引っ掛けて架け渡すことで、確実に筒体１内に給水紐体３を挿入でき、かつ、離脱・飛散しないようにしている。
【００１７】
そこで、この墓前用花立ての使用方法は、筒体１内に土壌及び／又は腐葉土等の育成材７を筒体の３分の２程度充填し、植物又は種子等８を植え、墓の関連場所に筒体の３分の１程度埋めて立設する（立設した後土壌等を充填することも可能）。
また、貯水用器２に水を容れておき、給水紐体３の一方の端部は水に浸るように貯水容器２の底に至るようにし、他方の端部は筒体１に充填した土壌等の内部に埋まるように充分の長さに調節するする。
筒体１の立設は稍傾斜させて状態としても良く、貯水用器２の水は必要により適宜補充する。
【００１８】
この様に設置した墓前用花立ては、土中に在る部分の筒体１の透孔４から土中の水分を吸収し、給水紐体３の毛細管作用で貯水容器２の水を供給され、更に、降雨時には地上に露出している部分の筒体１の透孔４からも水の補給が得られるため、植物の生育に必要な水分を筒体１内の土壌等に確保されるため、植物を長期間枯らすことはないのである。
【００１９】
図２は他の実施の形態を示す筒体１の一部正面図であり、筒体１が地上に露出する部分に形成された透孔４、４、・・・の下端に鍔状の突条６を外周の形成したものである。
降雨が筒体１を流下するのを受け止め透孔４の入り易く誘導するものである。
【００２０】
図面に示す上記実施の形態は一例であり、筒体１は円筒に限定されず各種の角体の使用も可能であり、下端部を土中に突き刺し易く先鋭な形状にしてもよい。
また、貯水用器２も同一形状のものを選択することも要せず、材質に関しても樹脂製が簡便であるが他の材質であっても作用及び効果に差は生じない。
筒体１の底面の有無は何れでも良いけれど、無いほうが土中との水分の吸収や排出の作用を促進させる効果に優る。
【００２１】
筒体１の穿設する透孔４は水分の流入に関係するため、小さいより大きいほうが望ましいが、育成材７を保持できるような大きさの制約があり、全て同形、同一の大きさである必要も無く、形成位置によって大きさや形を変えて設けることも自由である。
また、形成する範囲は、筒体１に育成材７を充填する部分、或いは、地中に埋設する部分のみ設けても良い。
【００２２】
筒体１と貯水用器２との連結手段も、貯水用器２の水が漏れないものであれば適宜手段及び方法の採用が可能である。
そして、給水紐体３は、毛細管現象を奏する紐状体であれば利用可能であり、例えば綿、麻、絹等の天然繊維を原料とすれば吸水性に富んでいるので有効である。
【図面の簡単な説明】
【００２３】
【図１】本考案の一実施の形態を示す断面図である。
【図２】他の実施の形態を示す筒体１の一部正面図である。
【符号の説明】
【００２４】
１    筒体
２    貯水用器
３    給水紐体
４    透孔
５    切り欠き
６    突条
７    育成材
８    植物又は種子
【図１】
0003133500.tif 000003
【図２】
0003133500.tif 000004